(57)【要約】【課題】  本発明は、座位をベッド高さとし、かつ左右方向へのスライド機能を設けることでベッドから車椅子、あるいは車椅子からベッドへの移し替えを容易にする介護用車椅子を提供することを目的とするものである。【解決手段】  本発明は、その後部両端に左右一対の大径の後輪３が取り付けられ、その前部に左右一対の小径の前輪５が取り付けられる走行車体２と、前記走行車体２上に、座位を略ベッド高さに支持するために立設される支持台６と、前記支持台６上に、前記走行車体２の進行方向に対して左右側へスライド可能に取り付けられる座部７と、前記座部７の後端に、該座部７と同一水平面上まで傾動可能な状態で連結される背もたれ部９と、前記座部７の前端に、該座部７と同一水平面上まで傾動可能な状態で連結される足載せ部１０を備える。【選択図】        図１
2006280759.tif 000002
【特許請求の範囲】
【請求項１】
その後部両端に左右一対の大径の後輪が取り付けられ、その前部に左右一対の小径の前輪が取り付けられる走行車体と、
前記走行車体上に、座位を略ベッド高さに支持するために立設される支持台と、
前記支持台上に、前記走行車体の進行方向に対して左右側へスライド可能に取り付けられる座部と、
前記座部の後端に、該座部と同一水平面上まで傾動可能な状態で連結される背もたれ部と、
前記座部の前端に、該座部と同一水平面上まで傾動可能な状態で連結される足載せ部を備える
ことを特徴とする介護用車椅子。
【請求項２】
前記座部が水平方向へ回転自在とされる
ことを特徴とする請求項１記載の介護用車椅子。
【請求項３】
前記走行車体に、ベッドのフレームと連結するためのフック部を設ける
ことを特徴とする請求項１または２記載の介護用車椅子。
【発明の詳細な説明】
【技術分野】
【０００１】
本発明は介護用車椅子に関する。詳しくは肢体の不自由な介護者をベッドから車椅子、あるいは車椅子からベッドへの移す替えを楽に行うことができる介護用車椅子に係るものである。
【背景技術】
【０００２】
一般に車椅子は、肢体の不自由な人が座位で移動するのを支援するように構成されたものであり、転向方向が自在になる一対の自在輪が前部に設けられ、前後方向のみに回転自在なる一対の大径の主輪が後部に設けられている。また、歩行器は、立位の人を囲い立位の人が把持可能な枠体に移動用の車輪を設けたものであった。また、ストレッチャーは、座位も立位も困難な人を横臥位として移動し得るように寝台に車輪を設けたものであった。
【０００３】
そこで車椅子をストレッチャーとして使用することができる変換機能を持たせた車椅子として例えば図７に示すような多機能車椅子がある。この車椅子は、車台１０１を前側が開放された平面略Ｃ形に形成し、該車台１０１の前部に自在輪１０２を設け、該車台１０１の後部に主輪１０３を設け、該車台１０１上に背凭フレーム１０４と座板フレーム１０５を垂直面内で傾動可能に支持し、背凭フレーム１０４には上方に伸縮自在に延出するヘッドレストフレーム１０６を設け、その上部に展開フレーム１０７を前方に突出し得るように設け、該背凭フレーム１０４を前傾姿態とし座板フレーム１０５を背凭フレーム１０４の前面に重合させることで該車台１０１内に後向となって立った歩行訓練者の歩行器として使用し、座板フレーム１０５に前方に伸縮自在に延出するフットレストフレーム１０８を設け、さらに背凭フレーム１０４を後方に傾倒することで障害者が横臥位となりストレッチャーとして使用できる構成とする（特許文献１参照。）。
【０００４】
【特許文献１】特開２００２−３０６５４３号公報（要約図、第１図）
【発明の開示】
【発明が解決しようとする課題】
【０００５】
しかしながら前記多機能車椅子では、背凭フレームを後方に傾倒させることでストレッチャーとして変換することができるものであるが、肢体に障害のある介護者を寝たきりの状態からベッドから車椅子、あるいは車椅子からベッドへ移す場合には、付き添い人や看護士によって行われるが非常に重労働となる問題がある。
【０００６】
また、通常の車椅子の座位はベッド高さより低いために、ストレッチャーへの変換機能が備わっている場合であっても特に、車椅子からのベッドへの移動は非常に重労働となる問題があった。
【０００７】
本発明は、以上の点に鑑みて創案されたものであって、座位をベッド高さとし、かつ左右方向へのスライド機能を設けることでベッドから車椅子、あるいは車椅子からベッドへの移し替えを容易にする介護用車椅子を提供することを目的とするものである。
【課題を解決するための手段】
【０００８】
上記の目的を達成するために、本発明に係る介護用車椅子は、その後部両端に左右一対の大径の後輪が取り付けられ、その前部に左右一対の小径の前輪が取り付けられる走行車体と、前記走行車体上に、座位を略ベッド高さに支持するために立設される支持台と、前記支持台上に、前記走行車体の進行方向に対して左右側へスライド可能に取り付けられる座部と、前記座部の後端に、該座部と同一水平面上まで傾動可能な状態で連結される背もたれ部と、前記座部の前端に、該座部と同一水平面上まで傾動可能な状態で連結される足載せ部を備える。
【０００９】
ここで、座部の座位高さをベッド高さと略同じ高さとし、かつベッド側へのスライドを可能とすることにより、ベッドから車椅子、あるいは車椅子からベッドへの移し替えが最小限の労力で行うことが可能となる。
【００１０】
また、座部を水平方向に回転自在な構成とすることにより、車椅子の進行方向を変えずに介護者の向きを変えることが可能となる。
【００１１】
さらに、走行車体に、ベッドのフレームと連結するためのフック部を設けることによって、ベッドから車椅子、あるいは車椅子からベッドへの移し替えの場合に、車椅子とベッドのフレームとをフック部によって連結することで安全、かつ確実に作業を行うことが可能となる。
【発明の効果】
【００１２】
本発明の介護用車椅子によれば、座位をベッド高さと同じとしているのでベッド横に車椅子を移動し、さらにベッド側へ座部がスライド可能とすることにより介護人をベッドへ移しかえることが容易に行うことができる。
【００１３】
また、車椅子の車体フレームにベッドのフレームと連結自在とされる連結用フックを設けることにより、車椅子からベッド、あるいはベッドから車椅子への移しかえの際に車椅子が離れることなく安全、かつ確実に介護人の移しかえを行うことができる。
【００１４】
また、座部に回転機能を持たせることにより、車椅子の進行方向を変更することなく、座ったままの状態で介護人の向きを自在に変えることができる。
【発明を実施するための最良の形態】
【００１５】
以下、本発明の実施の形態を図面を参酌しながら説明し、本発明の理解に供する。
図１に、本発明を適用した介護用車椅子の一例を示す斜視図、図２に、図１における側面図を示す。
【００１６】
ここで示す介護用車椅子１は、走行車体２の後端の両側に左右一対の大径の後輪３が取り付けられ、この走行車体２の前側下部にはキャスター４を介して左右一対の小径の前輪５が取り付けられる。
【００１７】
次に、走行車体２上には座部をベッド高さに支持する支持台６が立設され、この支持台６上に座部７がスライド部８を介して取り付けられる。そして座部７の後端には背もたれ部９が任意の角度で傾動自在に連結され、座部７の前端には足載せ部１０が任意の角度で回動自在に連結され、さらに足載せ部１０の先端にステップ部１１が設けられる。
【００１８】
そこで座部７は、図３および図４に示すように、走行車体２上に立設される支持台６は走行車体２の進行方向に対して直角状に渡設される。そして支持台６上にスライド部８が左右方向に摺動自在な状態で嵌合される。さらに、スライド部８上面の中央には軸部１２が突設され、この軸部１２に座部７の中心に開設される軸穴１３が嵌入されることで座部７はスライド部８に対して水平方向へ回動自在な構成となる。
また、座部７の両側にはパイプ部材による把持部１４が着脱自在な状態で取り付けられる。
【００１９】
また、座部７の後端に連結される背もたれ部９がラチェット・ギヤ式の角度変換部材１５によって水平状態から上方への傾動を自在に調整することができる構成とする。さらに、背もたれ部９の上端には頭載置部１６が取り付けられる。
【００２０】
また、座部７の前端には、足載せ部１０がラチェット・ギヤ式の角度変換部材１５によって水平状態から下方向への傾動を自在に調整することができる構成とする。さらに、足載せ部１０の先端にはステップ部１１が連結枢支され、足載せ部１０に対して直角状に起立できる構成とする。
【００２１】
また、走行車体２の側面にはベッドの下部フレームに係留するためのフック部１７を取り付けるものであり、このフック部１７によって走行車体２をベッドに横付けて保持することができる構成とするものである。
【００２２】
なお、後輪３を走行車体２の後端に配置し、かつ座部７の中心位置は走行車体２の中心より後方とするとともに、座部７の中心高さは走行車体２の横幅内とすることで安定した走行が可能となる。
【００２３】
なお、座部７、背もたれ部９および足載せ部１０の上面にはクッション部材（図示せず。）を装着する。
また、前記フック部は必ずしも走行車体の一方の側面に取り付けるものではなく、ベッドの配置によって両側に取り付ける、あるいは前部および後部に取り付けても構わない。
【００２４】
なお、本発明における座部のスライド機構は必ずしも本実施例で詳述する機構とする必要性はなく、例えばベアリングやレールなどによって座部が左右方向にスライドするものであればいかなる機構であっても構わない。
【００２５】
また、本発明における座部の回転機構は必ずしも本実施例で詳述する機構とする必要性はなく、例えばベアリングなどによって座部が水平方向に回転するものであればいかなる機構であっても構わない。
【００２６】
以上の構成よりなる本発明では図５に示すように、座部７に対して背もたれ部９および足載せ部１０を水平状態に変換することでストレッチャー形態に変換することが可能となる。
【００２７】
ここで、図６（イ）（ロ）でそれぞれ示すように、介護用車椅子１に乗った介護者ＢをベッドＡに移す場合には、まずベッドＡ横に介護用車椅子１の走行車体２を横付けるように移動させる。そしてフック部１７によってベッドＡ下部のフレームに引っ掛けて介護用車椅子１がベッドＡから離れないように固定する。
【００２８】
次に、介護者Ｂが座部７に座ったままの状態から、背もたれ部９および足載せ部１０を水平状態に変換し、この状態から座部７をベッドＡ側へスライドさせる。そしてベッドＡ側の把持部１４を取り外すことにより、ベッドＡと略同一面高さとなる。
【００２９】
これにより、介添人や看護士は介護者ＢをベッドＡ側へずらすようにして移動させることで最小限の労力で容易にベッドＡへの移し替えが可能となる。
なお、ベッドＡから介護用車椅子１への移し替えは、図中（イ）（ロ）で示すのを逆にすれば容易に行うことができる。
【００３０】
また、図中（ハ）に示すように、介護用車椅子１の足載せ部１０の先端がベッドＡの中央付近まで来るようにしてベッドＡに対して介護用車椅子１を直角状とすることによって介護用車椅子１の両側に介添人を配置することができ、介護人の移動を容易に行うことができる。
【００３１】
また、前記座部を水平方向へ回転自在な構成とすることにより、走行車体の進行方向を変えずに、寝たまま、あるいは座ったままの状態で向きを変えることができる。したがって介護者の食事やトイレ、あるいは入浴などの場合の状況に応じて座部の向きを変えることで介添人の負担を著しく軽減させることができる。
【図面の簡単な説明】
【００３２】
【図１】本発明を適用した介護用車椅子の一例を示す斜視図である。
【図２】図１における側面説明図である。
【図３】本発明を適用した介護用車椅子における座部のスライド機構の一例を示す説明図である。
【図４】本発明を適用した介護用車椅子の座部の回転機構の一例を示す説明図である。
【図５】本発明を適用した介護用車椅子をストレッチャー形態に変換した状態を示す斜視図である。
【図６】本発明を適用した介護用車椅子の使用状態を示す説明図である。
【図７】従来の多機能車椅子の一例を示す説明図である。
【符号の説明】
【００３３】
１      介護用車椅子
２      走行車体
３      後輪
４      キャスター
５      前輪
６      支持台
７      座部
８      スライド部
９      背もたれ部
１０    足載せ部
１１    ステップ部
１２    軸部
１３    軸穴
１４    把持部
１５    角度変換部材
１６    頭載せ部
１７    フック部
【図１】
2006280759.tif 000003
【図２】
2006280759.tif 000004
【図３】
2006280759.tif 000005
【図４】
2006280759.tif 000006
【図５】
2006280759.tif 000007
【図６】
2006280759.tif 000008
【図７】
2006280759.tif 000009